(57)【要約】【課題】  ロースター部を有した誘導加熱調理器において、制御回路部品、特に加熱コイルを駆動する駆動素子の冷却の効率向上を行い、製品仕様及び信頼性を高める。【解決手段】  本体１内に第一の制御部１２、第二の制御部１６及び第三の制御部１７を備え、前記第一の制御部１２、第二の制御部１６の近傍にこれらを強制冷却する冷却ファン１８を備え、前記第一の制御部１２、第二の制御部１６、第三の制御部１７を多段に重ね、下段の第一の制御部１２及び上段の第三の制御部１７は基板構成とし、中段の第二の制御部１６は基板構成とせず、前記加熱コイル６を駆動する複数の駆動素子１３と、これらの駆動素子１３を固定する放熱板１４とで構成し、放熱板１４のフィンをお互いに向き合わせて配置した。【選択図】    図３
2005071695.tif 000002
【特許請求の範囲】
【請求項１】
本体（１）の上面に容器（２）を載置するプレート（３）を備え、このプレート（３）の下方に略水平に配置された二つの誘導加熱用の加熱コイル（６）を備え、この加熱コイル（６）の下方で本体（１）の左側又は右側に魚等を焼くロースター部（４）を備え、前記加熱コイル（６）の下方で前記ロースター部（４）とは反対側の本体（１）内に前記二つの加熱コイル（６）に対応した制御回路を含む第一の制御部（１２）、第二の制御部（１６）及び制御回路を駆動するための電源及び制御を行うマイクロコンピュータ等を搭載した第三の制御部（１７）を備え、前記第一の制御部（１２）、第二の制御部（１６）の近傍にこれらを強制冷却する冷却ファン（１８）を備え、前記第一の制御部（１２）、第二の制御部（１６）、第三の制御部（１７）を多段に重ねた配置とし、下段の第一の制御部（１２）及び上段の第三の制御部（１７）は基板構成とし、中段の第二の制御部（１６）は基板構成とせず、前記加熱コイル（６）を駆動する複数の駆動素子（１３ａ）（１３ｂ）（１３ｃ）（１３ｄ）と、これらの駆動素子（１３）を固定する放熱板（１４ａ）（１４ｂ）（１４ｃ）（１４ｄ）とで構成し、放熱板（１４）のフィンをお互いに向き合わせて配置したことを特徴とする誘導加熱調理器。
【請求項２】
第一の制御部（１２）、第二の制御部（１６）、第三の制御部（１７）及び冷却ファン（１８）は、吸気口（２０）と排気口（２１）を設けた風路構成体（１９）の中に収納し、第二の制御部（１６）の放熱板（１４ａ）（１４ｂ）（１４ｃ）（１４ｄ）はお互いのフィンを向き合わせて配置し、冷却ファン（１８）の風路を構成することを特徴とする請求項１記載の誘導加熱調理器。
【請求項３】
第二の制御部（１６）の複数の駆動素子（１３ａ）（１３ｂ）（１３ｃ）（１３ｄ）と、これらの駆動素子（１３）を固定する放熱板（１４ａ）（１４ｂ）（１４ｃ）（１４ｄ）は、放熱板（１４ａ）と（１４ｂ）及び（１４ｃ）と（１４ｄ）とがお互いにそのフィンの向きを合わせて配置し、かつ、冷却ファン（１８）の近傍側に配置された放熱板（１４ａ）（１４ｂ）のフィンピッチは冷却ファン（１８）の奥側に配置された放熱板（１４ｃ）（１４ｄ）のフィンピッチより広くしたことを特徴とする請求項１、２記載の誘導加熱調理器。
【請求項４】
第二の制御部（１６）の複数の駆動素子（１３ａ）（１３ｂ）（１３ｃ）（１３ｄ）と、これらの駆動素子（１３）を固定する放熱板（１４ａ）（１４ｂ）（１４ｃ）（１４ｄ）は、放熱板（１４ａ）と（１４ｂ）を同一部品とし、放熱板（１４ｃ）と（１４ｄ）も同一部品としたことを特徴とする請求項１、２及び３記載の誘導加熱調理器。
【請求項５】
冷却ファン（１８）側に配置された放熱板（１４ａ）（１４ｂ）より冷却ファン（１８）の奥側に配置された放熱板（１４ｃ）（１４ｄ）の高さを低くしたことを特徴とする請求項１、２及び３記載の誘導加熱調理器。
【請求項６】
複数の駆動素子（１３ａ）（１３ｂ）（１３ｃ）（１３ｄ）の内、幅寸法が狭い駆動素子（１３ｃ）（１３ｄ）を固定している放熱板（１４ｃ）（１４ｄ）の高さ寸法を他の放熱板（１４ａ）（１４ｂ）に比べて低くしたことを特徴とする請求項２、３記載の誘導加熱調理器。
【請求項７】
複数の駆動素子（１３ａ）（１３ｂ）（１３ｃ）（１３ｄ）を電気的に結ぶ配線類（２２）を高さの低い放熱板（１４ｃ）（１４ｄ）の上部に配置したことを特徴とする請求項５、６記載の誘導加熱調理器。
【発明の詳細な説明】
【技術分野】
【０００１】
本発明は、誘導加熱調理器の冷却構成に関するものである。
【背景技術】
【０００２】
従来の誘導加熱調理器は、金属製の容器自体を加熱するものであるが、容器の材質の表皮抵抗によって加熱し易いか、し難いか異なってくる。
【０００３】
従来の技術では非磁性ステンレス（ＳＵＳ３０４）容器になると、容器の厚みによっては加熱できないものもあり、アルミ容器や銅容器においては、全く加熱できないものであった。
【０００４】
非磁性ステンレス容器は、鉄容器に比べて表皮抵抗が３分の１程度となり鉄容器と同じように加熱しようとすると抵抗が小さい分、回路損失が大きくなり回路素子、特に加熱コイルを駆動する駆動素子の温度上昇が著しくなるので、これの冷却を効率よく行わなければならない。
【０００５】
従来例を図１、図２及び図６に従って説明する。
【０００６】
図１は従来例及び本発明の誘導加熱調理器の一実施例の外観斜視図、図２は従来例及び本発明の一実施例の誘導加熱調理器の全体の構成を示す分解斜視図、図６は従来例の制御ユニットの構成を示す分解斜視図である。
【０００７】
尚、図２以降においては、図１又はその図以前に示した図と共通する構成の一部を省略すると共に、重複する説明を省略する。各例の図における同一符号は、同一物又は相当物を示す。又、一つの物が二つ以上の部品から構成され、これらを判別して説明した方が分り易い場合は、数字の符号にａ、ｂ等の接尾辞を付け、他の場合は前記接尾辞を付けていない。
【０００８】
図１は誘導加熱調理器がシステムキッチンに組み込まれた状態を示している。
【０００９】
図１において、誘導加熱調理器の本体１の上面にプレート３が備えられ、プレート３上の二つの円は誘導加熱部を示し、本体１の左側に魚等を焼くロースター部４を備え、本体１の右側前面に加熱の設定等を行う操作部５を備えている。被加熱物を入れる容器２は左の誘導加熱部を示すプレート３上に載置されている。
【００１０】
図２において、プレート３の下方に略水平に二つの誘導加熱用の加熱コイル６が左右に配置され、プレート３を支持するトップケース７がこの下方に配置されている。
【００１１】
加熱コイル６の下方左側にロースター部４、その反対側、すなわち右側に制御ユニット８が配置され、ロースター部４と制御ユニット８との間にはこれらを仕切る仕切板９が設けられている。上記の部品の下には、これらを支え本体１の底面を構成する外郭底面部１０が備えられ、本体１の前面には前面部を構成するパネル１１が備えられている。
【００１２】
図６において、第一の制御部１２及び第二の制御部１６は、二つの加熱コイル６に夫々対応した制御回路を搭載する基板で構成され、この二つの基板の形状はほぼ同寸法となっており、二段に重ねられている。
【００１３】
又、同基板には二つの加熱コイル６に夫々対応した駆動素子（図示せず）を固定した放熱板１４を備え、これら放熱板１４においてもほぼ同寸法の部品を使用している。又、第一の制御部１２及び第二の制御部１６の後方には、これらを強制冷却するための冷却ファン１８を設けている。
【００１４】
底面、側面及び上面からなり、前記第一の制御部１２、第二の制御部１６、冷却ファン１８等を覆うように収納する風路構成体１９が設けられ、この風路構成体１９は上部と下部に分割される上構成体１９ａ及び下構成体１９ｂで形成される構造となっている。風路構成体１９の上面後部には冷却風を内部に吸気する吸気口２０が設けられ、同上面前部には冷却風を外部に排気する２箇所の排気口２１が設けられている。
【００１５】
尚、この従来例においては、第一の制御部１２又は第二の制御部１６には、制御回路を駆動するための電源や制御を行うマイクロコンピュータを備えており、これらを搭載する基板は略水平に置かれているが、縦置きしている場合（図示せず）などもあり、さまざまである。
【００１６】
以上の構成のように、第一の制御部１２及び第二の制御部１６の二つの基板においては、ほぼ同寸法の形状とし、部品の共用化を図っている。
【００１７】
上記のような従来の技術においては、例えば鉄容器の出力２．０ｋＷに対して非磁性ステンレス容器においては約１．４ｋＷとなり、非磁性ステンレス容器を加熱する場合は鉄容器の場合の約７０％の出力となっている。
【００１８】
上記のような制御用の基板を多段に重ねる従来例として、特許文献１、特許文献２及び特許文献３等に開示された例がある。
【００１９】
【特許文献１】特開２００１−１９６１５３号公報
【００２０】
【特許文献２】特開２００１−２６７０５４号公報
【特許文献３】特開２００２−３３１８４号公報
【発明の開示】
【発明が解決しようとする課題】
【００２１】
前述したように、従来の誘導加熱調理器の制御部においては、二つの加熱コイル６に夫々対応した制御回路を搭載する基板で構成され、この二つの基板の形状は、ほぼ同寸法となっており、二段に重ねられ、部品の共用化を図っているが、非磁性ステンレス容器を加熱する場合は、鉄容器を加熱する場合に比べ約７０％の出力となっており、出力としては充分ではない。特許文献１、特許文献２、および特許文献３等に開示された例においても同様である。
【００２２】
このため、非磁性ステンレス容器を加熱する場合の出力を鉄容器の場合と同等にするためには回路の損失分を充分に補うための冷却、特に加熱コイル６を駆動する駆動素子の冷却の効率向上が必要になる。
【００２３】
駆動素子の冷却の効率向上の方法としては、冷却ファン１８の能力を向上させるか、又は駆動素子を固定した放熱板１４を大きくして放熱面積を稼ぐことが好ましい。放熱板１４を大きくする場合、基板の占める割合が大きくなり、限られた収納スペースに制御用の基板をどう配置するかが問題であった。
【００２４】
又、制御用の基板に搭載される駆動素子は冷却が不充分であると、高温になってしまうことも想定され、信頼性に欠けるものになる。
【００２５】
本発明は、前記課題を解決するものであり、ロースター部を有した誘導加熱調理器において、制御回路部品、特に加熱コイルを駆動する駆動素子の冷却の効率向上を行い、製品仕様及び信頼性を高めることを目的とするものである。
【課題を解決するための手段】
【００２６】
本発明は上述の課題を解決するためになされたもので、請求項１では、本体の上面に容器を載置するプレートを備え、このプレートの下方に略水平に配置された二つの誘導加熱用の加熱コイルを備え、この加熱コイルの下方で本体の左側または右側に魚等を焼くロースター部を備え、前記加熱コイルの下方で前記ロースター部とは反対側の本体内に前記二つの加熱コイルに対応した制御回路を含む第一の制御部、第二の制御部及び制御回路を駆動するための電源及び制御を行うマイクロコンピュータ等を搭載した第三の制御部を備え、前記第一の制御部、第二の制御部の近傍にこれらを強制冷却する冷却ファンを備え、前記第一の制御部、第二の制御部、第三の制御部を多段に重ねた配置とし、下段の第一の制御部および上段の第三の制御部は基板構成とし、中段の第二の制御部は基板構成とせず、前記加熱コイルを駆動する複数の駆動素子と、これらの駆動素子を固定する放熱板とで構成し、放熱板のフィンをお互いに向き合わせて配置したものである。
【００２７】
又、請求項２では、第一の制御部、第二の制御部、第三の制御部及び冷却ファンを吸気口と排気口を設けた風路構成体の中に収納し、第二の制御部の放熱板はお互いのフィンを向き合わせて配置し、冷却ファンの風路を構成するものである。
【００２８】
又、請求項３では、前記複数の駆動素子を固定する放熱板をお互いにそのフィンの向きを合わせて配置し、かつ、冷却ファンの近傍側に配置された放熱板のフィンピッチを冷却ファンの奥側に配置された放熱板のフィンピッチより広くしたものである。
【００２９】
又、請求項４では、前記複数の駆動素子と、これらの駆動素子を固定する放熱板を同一部品とし、放熱板も同一部品としたものである。
【００３０】
更に、請求項５では、冷却ファン側に配置された放熱板より冷却ファンの奥側に配置された放熱板の高さを低くしたものである。
【００３１】
又、請求項６では、前記複数の駆動素子の内、幅寸法が狭い駆動素子を固定している放熱板の高さ寸法を他の放熱板に比べて低くしたものである。
【００３２】
更に、請求項７では、複数の駆動素子を電気的に結ぶ配線類を高さの低い放熱板の上部に配置したものである。
【発明の効果】
【００３３】
請求項１によれば、冷却ファンからの冷却風が放熱板のフィンの中に強制的に流入するため、ロースター部を有する誘導加熱調理器において、制御回路部品、特に加熱コイルを駆動する駆動素子の冷却の効率向上を行い、製品仕様及び信頼性を高めることができる。
【００３４】
又、請求項２によれば、集中的に駆動素子が冷却され、一層出力向上を図ることができる。
【００３５】
又、請求項３によれば、冷却風がフィンの抵抗を受けることなく流入するため、冷却効率が向上するほか、フィンによる抵抗が少なくなって風切り音が少なくなり、動作時の騒音低減を同時に図ることができる。
【００３６】
又、請求項４によれば、部品の共用化を図ることができる。
【００３７】
更に、請求項５から７によれば、集中的に駆動素子が冷却される他、配線類が冷却風の流路を塞ぐことがなくなるため、更に冷却効率が向上し、一層出力向上を図ることができる。
【発明を実施するための最良の形態】
【００３８】
以下、本発明の一実施例を図１、図２、図３、図４及び図５に従って説明する。
【００３９】
前述したように、図１は従来例および本発明の一実施例の誘導加熱調理器の外観斜視図、図２は従来例および本発明の一実施例の誘導加熱調理器の全体の構成を示す分解斜視図である。図３は本発明の一実施例の制御ユニットの構成を示す分解斜視図、図４は本発明の一実施例の放熱板のフィンの説明図、図５は本発明の一実施例の制御ユニットの断面図である。
【００４０】
尚、図２においては、図１に示す操作部５は図示していない。また、図３においては、図４に示す後記冷却ファン１８の上方にある後記冷却ファン１８用のモーターは図示していない。
【００４１】
図１において、１は誘導加熱調理器の本体である。２は容器で、被加熱物を入れて調理する。３はプレートで、本体１の上面に備えられ、容器２を載置する。
【００４２】
４はロースター部で、後記加熱コイル６の下方で本体１の左側又は右側、本実施例では左側に備えられ、魚等を焼く。尚、ロースター部４は本体１の右側に備えられてもよい。５は操作部で、本体１の右側前面に配置され、加熱の設定等を行う。
【００４３】
図２において、６は加熱コイルで、プレート３の下方に略水平に配置され、左右に二つ有り、容器２を誘導加熱する。
【００４４】
７はトップケースで、プレート３の下方に配置され、これを支持する。８は制御ユニットで、加熱コイル６の下方でロースター部４とは反対側の本体１内に備えられ、後記風路構成体１９（１９ａ、１９ｂ）、第一の制御部１２、第二の制御部１６、第三の制御部１７、冷却ファン１８等で構成される。
【００４５】
９は仕切板で、ロースター部４と制御ユニット８との間に設けられ、これらを仕切る。１０は外郭底面部で、本体１の底面を構成する。１１はパネルで、本体１の前面部を構成する。
【００４６】
図３及び図４において、１２は第一の制御部で、加熱コイル６の下方で前記ロースター部４とは反対側、本実施例では右側の本体１内に備えられ、二つの加熱コイル６に対応した制御回路を含み、基板構成されている。
【００４７】
ここでいう基板構成とは、片面又は両面等に銅張り等で回路を形成したプリント基板に制御用の電子部品等が搭載されて構成されるもので、以下同様である。
【００４８】
１３は駆動素子で、複数の駆動素子１３ａ、１３ｂ、１３ｃ、１３ｄからなり、ＩＧＢＴ等のパワー半導体素子であり、パッケージ化且つ絶縁され、加熱コイル６を駆動する。
【００４９】
１４は放熱板で、駆動素子１３ａ、１３ｂ、１３ｃ、１３ｄに対応して複数の放熱板１４ａ、１４ｂ、１４ｃ、１４ｄからなっており、それぞれの駆動素子１３ａ、１３ｂ、１３ｃ、１３ｄを個々に固定して駆動素子１３の放熱を補助するものである。
【００５０】
また、この複数の放熱板１４ａ、１４ｂ、１４ｃ、１４ｄのうち、放熱板１４ａ、１４ｂは冷却ファン１８の近傍に各々のフィンが向かい合うように固定され、放熱板１４ｃ、１４ｄは放熱板１４ａ、１４ｂのフィンの中を通った冷却風が入り込むように各々のフィンが向かい合うように並んで配置されている。
【００５１】
さらに、放熱板１４ｃ、１４ｄは放熱板１４ａ、１４ｂより一段低くなるように配置してある。
【００５２】
２２はこれらの駆動素子１３ａ、１３ｂ、１３ｃ、１３ｄを電気的に結ぶ配線類で、高さの低い放熱板１４ｃ、１４ｄの上部を通して配置されている。
【００５３】
１５は支持板で、基板（プリント基板）ではなく、安価な樹脂等で形成され、放熱板１４等を支持する板である。
【００５４】
１６は第二の制御部で、加熱コイル６の下方で前記ロースター部４とは反対側、本実施例では右側の本体１内に備えられ、二つの加熱コイル６に対応した制御回路を含み、基板構成とせず、前記放熱板１４に駆動素子１３を固定する構成とし、さらに、放熱板１４を支持する支持板１５等で構成されている。そして、駆動素子１３はこの第二の制御部１６に設けられている。
【００５５】
尚、本実施例においては、支持板１５には駆動素子１３とその放熱板１４以外に他の回路素子やその放熱用部品等も搭載されているが、これらは第一の制御部１２等に搭載される構成でもよく、また、支持板１５もない構成でもよい。
【００５６】
１７は第三の制御部で、加熱コイル６の下方で前記ロースター部４とは反対側、本実施例では右側の本体１内に備えられ、制御回路を駆動するための電源及び制御を行うマイクロコンピュータ等を搭載し、基板構成されている。
【００５７】
尚、この第三の制御部１７の基板は、一枚基板に限らず複数に分割される分割基板で構成してもよい。これにより、第三の制御部１７の配置上の融通性を向上させることができる。
【００５８】
これら第一の制御部１２、第二の制御部１６、第三の制御部１７は下から順に多段に重ねた配置としている。すなわち、第一の制御部１２は下段、第二の制御部１６は中段、第三の制御部１７は上段としている。
【００５９】
尚、第一の制御部１２、第三の制御部１６に搭載される前記以外の部品としては図示していないものもあるが、マイクロコンピュータ、集積回路、トランジスタ、ダイオード等の半導体、コンデンサ類、抵抗類等がある。
【００６０】
１８は冷却ファンで、後記風路構成体１９の内部で前記第一の制御部１２、第二の制御部１６の近傍に配置され、後方から前方へ冷却風を送風し、第一の制御部１２、第二の制御部１６等を強制冷却する。
【００６１】
１９は風路構成体で、上部と下部に分割される風路構成１９ａ及び１９ｂで形成される構造となっており、底面、側面、及び上面からなり、前記第一の制御部１２、第二の制御部１６、第三の制御部１７、冷却ファン１８等を覆うように収納している。
【００６２】
２０は吸気口で、風路構成体１９の上面、例えば上面後部に設けられ、外気すなわち冷却風を風路構成体１９内部に吸気する開口部である。２１は排気口で、風路構成体１９の上面、例えば上面前部に設けられ、冷却風を風路構成体１９の外部に排気する開口部で、本実施例では２箇所ある。
【００６３】
次に、制御ユニット８の主要部の詳細な構成を図４及び図５を参照して説明する。
【００６４】
図４及び図５において、第一の制御部１２の基板は冷却ファン１８の配置部を除く風路構成体１９の底面全面に配置され、この第一の制御部１２の上方には第二の制御部１６が配置され、互いに向き合った放熱板１４にパッケージ化且つ絶縁された駆動素子１３を固定し、冷却ファン１８の冷却風が互いに向き合った放熱板１４のフィンの中を吹き抜ける構成とし、効率よく放熱板１４すなわち駆動素子１３を冷却する。
【００６５】
尚、第二の制御部１６の支持板１５の形状は、第一の制御部１２の基板とほぼ同様な形状において、一部、例えば後部左側が削除され、第一の制御部１２より小さな形状で、第一の制御部１２を冷却した冷却風がこの削除された部分から上方へ流れる構成としている。
【００６６】
また、第三の制御部１７の基板は、その面積を第一の制御部１２の面積から差し引いた面積が風路構成体１９の排気口２１の開口の合計面積とほぼ同じとし、風路構成体１９の内壁との間に隙間を設けた構成とし、主に第一の制御部１２の基板に搭載された部品や、第三の制御部１７の放熱板１４すなわち駆動素子１３を強制冷却する冷却風の風路抵抗をほぼ最適なものとしている。
【００６７】
つまり、第三の制御部１７と風路構成体１９の内壁との間には隙間があり、その隙間の面積が風路構成体１９の排気口２１の開口部の合計面積とほぼ同じである。
【００６８】
以上の構成において、全体の動作について、図を参照して説明する。
使用者が左の加熱コイル６の上方のプレート３の上に容器２を載置し、操作部５を操作し、加熱を開始すると、第一の制御部１２、第二の制御部１６、第三の制御部１７が作動する。これによって、左の加熱コイル６に対応した第二の制御部１６内の駆動素子１３が作動し、左の加熱コイル６が駆動され、この加熱コイル６の発生する磁束により容器２が誘導加熱される。
【００６９】
加熱開始とほぼ同時に冷却ファン１８も駆動され、外気を風路構成体１９の吸気口２０から吸気し、前方にある第一の制御部１２及び第二の制御部１６すなわち放熱板１４に送風し、これらを冷却する。
【００７０】
このとき、冷却風のほとんどは放熱板１４ａ、１４ｂでフィンの中に流入し、更に放熱板１４ａ、１４ｂの後部に並んで配置されている放熱板１４ｃ、１４ｄのフィンの中に流入する。
【００７１】
放熱板１４ａ、１４ｂのフィンピッチは、図４に示すように後部に配置されている放熱板１４ｃ、１４ｄのフィンピッチよりピッチ幅が広くなっているため、フィンによる抵抗が小さくなっており、このため、冷却風は効率よく放熱板１４ａ、１４ｂのフィンから放熱板１４ｃ、１４ｄのフィン内に流入する。
【００７２】
又、放熱板１４ａ、１４ｂのフィン内を吹き抜けた風は放熱板１４ｃ、１４ｄのフィン内を吹き抜けるが、放熱板１４ａ、１４ｂのフィン内を吹き抜ける際に熱交換されて冷却風の温度が放熱板１４ａ、１４ｂのフィン内を吹き抜ける入口温度より高温になっているため、放熱板１４ｃ、１４ｄのフィンピッチを放熱板１４ｃ、１４ｄのフィンピッチより密にすることにより冷却効率を向上させている。
【００７３】
また、放熱板１４ｃ、１４ｄの高さを放熱板１４ａ、１４ｂより一段低くしてその部分に駆動素子１３を電気的に結ぶ配線類２２を配置しているため、配線類２２が冷却風の流路を塞ぐことがなくなり、これによって、更に冷却効率が向上し、一層出力向上を図ることができる。
【００７４】
放熱板１４の中を吹き抜けた冷却風は、その後、下方の第一の制御部１２を冷却した冷却風と合流し、風路構成体１９の前面内壁に至ると、上方へ流れ、第三の制御部１７と風路構成体１９の内壁との間の隙間を通り、風路構成体１９の上面に設けられた２箇所の排気口２１を通り、風路構成体１９の上方へ流れ出る。
【００７５】
風路構成体１９の上方へ流れ出た冷却風は、その後、加熱コイル６等を冷却し、明示していない排出口から本体１外部へと排出される。
【００７６】
上記したように、本発明の誘導加熱調理器においては、下段の第一の制御部１２及び上段の第三の制御部１７は基板構成とし、中段の第二の制御部１６は基板構成とせず、前記加熱コイル６を駆動する複数の駆動素子１３ａ、１３ｂ、１３ｃ、１３ｄと、これらの駆動素子１３を固定する放熱板１４ａ、１４ｂ、１４ｃ、１４ｄとで構成し、お互いに放熱板１４のフィンを向き合わせて配置したので、冷却ファン１８からの冷却風が放熱板１４のフィンの中に強制的に流入するため、制御回路部品、特に加熱コイル６を駆動する駆動素子１３の冷却の効率向上を行い、製品仕様及び信頼性を高めることができる。
【００７７】
また、第一の制御部１２、第二の制御部１６、第三の制御部１７及び冷却ファン１８を吸気口２０と排気口２１を設けた風路構成体１９の中に収納し、第二の制御部１６の放熱板１４ａ、１４ｂ、１４ｃ、１４ｄをお互いのフィンを向き合わせて配置し、冷却ファン１８の風路を構成したので、集中的に駆動素子１３が冷却され、一層出力向上を図ることができる。
【００７８】
また、第二の制御部１６の複数の駆動素子１３ａ、１３ｂ、１３ｃ、１３ｄと、これらの駆動素子１３を固定する放熱板１４ａ、１４ｂ、１４ｃ、１４ｄは、放熱板１４ａと１４ｂ及び１４ｃと１４ｄとがお互いにそのフィンの向きを合わせて配置し、かつ、冷却ファン１８の近傍側に配置された放熱板１４ａ、１４ｂのフィンピッチは冷却ファン１８の奥側に配置された放熱板１４ｃ、１４ｄのフィンピッチより広くしたので、冷却風がフィンの抵抗を受けることなく流入するため、冷却効率が向上するほか、フィンによる抵抗が少なくなって風切り音が少なくなり、動作時の騒音低減を同時に図ることができる。
【００７９】
また、第二の制御部１６の複数の駆動素子１３ａ、１３ｂ、１３ｃ、１３ｄと、これらの駆動素子１３を固定する放熱板１４ａ、１４ｂ、１４ｃ、１４ｄは、放熱板１４ａと１４ｂを同一部品とし、放熱板１４ｃと１４ｄも同一部品としたので、部品の共用化を図ることができる。
【００８０】
さらに、冷却ファン１８側に配置された放熱板１４ａ、１４ｂより冷却ファン１８の奥側に配置された放熱板１４ｃ、１４ｄの高さを低くし、また、複数の駆動素子１３ａ、１３ｂ、１３ｃ、１３ｄの内、幅寸法が狭い駆動素子１３ｃ、１３ｄを固定している放熱板１４ｃ、１４ｄの高さ寸法を他の放熱板１４ａ、１４ｂに比べて低くし、かつ、複数の駆動素子１３ａ、１３ｂ、１３ｃ、１３ｄを電気的に結ぶ配線類を高さの低い放熱板１４ｃ、１４ｄの上部に配置したので、集中的に駆動素子１３が冷却される他、配線類が冷却風の流路を塞ぐことがなくなるため、更に冷却効率が向上し、一層出力向上を図ることができる。
【図面の簡単な説明】
【００８１】
【図１】従来例および本発明の一実施例の誘導加熱調理器の外観斜視図である。
【図２】従来例および本発明の一実施例の誘導加熱調理器の全体の構成を示す分解斜視図である。
【図３】本発明の一実施例の制御ユニットの構成を示す分解斜視図である。
【図４】本発明の一実施例の放熱板のフィンの説明図である。
【図５】本発明の一実施例の制御ユニットの断面図である。
【図６】従来例の制御ユニットの構成を示す分解斜視図である。
【符号の説明】
【００８２】
１  本体
２  容器
３  プレート
４  ロースター部
６  加熱コイル
１２  第一の制御部
１３  駆動素子
１４  放熱板
１６  第二の制御部
１７  第三の制御部
１８  冷却ファン
１９  風路構成体
２０  吸気口
２１  排気口
２２  配線類
【図１】
2005071695.tif 000003
【図２】
2005071695.tif 000004
【図３】
2005071695.tif 000005
【図４】
2005071695.tif 000006
【図５】
2005071695.tif 000007
【図６】
2005071695.tif 000008